(57)【要約】
【課題】  携帯電話内に組み付けられて携帯電話の回路と接続されるか或いは独立部品とされて携帯電話、充電器に外接され充電を行なえる携帯電話の充電装置の提供。
【解決手段】  携帯電話の充電装置は、スライド体、コイルセット及び磁石セットを具え、そのうちコイルセットは該スライド体に組み付けられ、該スライド体は磁石セットに対応するよう設置され且つギャップを保持し、該スライド体のスライドにより該コイルセットの各コイルが所定のギャップにあって、磁石セットの各磁石と快速な磁場変化を形成し、これにより大きな誘導電流を発生し、電源を外接せずに場所の制限なく充電が行なえ、且つ充電速度が速く環境保護に役立ち、且つ連続使用できて経済的である。
【選択図】        図２
0003101049.tif 000002
【実用新案登録請求の範囲】
【請求項１】
携帯電話の空間内に組み付けられ、磁場変化を加速した電磁誘導により容量の大きい誘導電流を発生して電力ソースを提供する携帯電話の充電装置であり、該充電装置はスライド体、コイルセット、磁石セット、緩衝体を具え、
該スライド体は固定板、金属芯座及び回転手段を具え、固定板が金属芯座の上方に位置し、該金属芯座は該固定板の一側に組付けられて複数の芯軸で区画された複数の区間を具え、該回転手段は該固定板の少なくとも四つの角部に設けられ、
該コイルセットは該金属芯座の芯軸に巻き付けられ、
該磁石セットは、該スライド体とギャップを保持しつつ対向するように設けられ、
該緩衝体は、スライド体の移動方向の対向する両側に設けられてスライド体の移動後の回復動力を提供し、
該スライド体のスライドにより該コイルセットの各コイルが所定のギャップ下で、磁石セットの各磁石と急速な磁場変化を形成することにより、誘導電流を発生することを特徴とする、携帯電話の充電装置。
【請求項２】
請求項１記載の携帯電話の充電装置において、金属芯座の材料が鋼材とされたことを特徴とする、携帯電話の充電装置。
【請求項３】
請求項２記載の携帯電話の充電装置において、金属芯座と固定板の組み付けは、該金属芯座の各芯軸の上端に設けられた位置決め柱が固定板の対応位置に設けられた位置決め溝と組み合わされることによることを特徴とする、携帯電話の充電装置。
【請求項４】
請求項３記載の携帯電話の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、携帯電話の充電装置。
【請求項５】
請求項４記載の携帯電話の充電装置において、磁石セットがＳＮ極の順序で配列されて接着剤でベースの内底面に接合されたことを特徴とする、携帯電話の充電装置。
【請求項６】
請求項５記載の携帯電話の充電装置において、ベースの内底面にスライドレールが設けられてスライド体を案内してスライドを順調となすことを特徴とする、携帯電話の充電装置。
【請求項７】
請求項１記載の携帯電話の充電装置において、スライド体、コイルセット及び磁石セット、及び緩衝体がカバーを具えた単一開口のベース内に組み付けられて独立部品とされて携帯電話の底部外側に組み付けられ、並びに直接携帯電話の充電回路と接続されたことを特徴とする、携帯電話の充電装置。
【請求項８】
請求項７記載の携帯電話の充電装置において、コイルセットに接続された整流装置が設けられ、プラグケーブルが該整流装置に接続され、該プラグケーブルが携帯電話の充電ソケット或いは充電器のソケットに挿入されて充電が行なわれることを特徴とする、携帯電話の充電装置。
【考案の詳細な説明】
【技術分野】
【０００１】
本考案は一種の携帯電話の充電装置に係り、特に、場所の制限なく随時充電でき、不断に電力を提供でき、電力制限のネックを突破する携帯電話の充電装置に関する。
【背景技術】
【０００２】
電気通信テクノロジーの発達に伴い、携帯電話は一人に一台の時代となり、且つ世界の携帯電話の数量は、ブロードバンド、造形及び多機能の流れを受けて６億を突破しつつある。将来、携帯電話はブロードバンドネットワークの双方向伝送及び大量のデータの保存機能等により、その電力消耗の問題は更に厳重となる。携帯電話の電力使用問題は充電方式により改善できるが、現在の充電の形式には欠点があり改善が求められている。
【０００３】
周知の通り、現在の携帯電話の充電方式は一般に外接式充電が採用され、即ち充電器を媒体として携帯電話とコンセントを接続するか、或いはクレードルを媒体として携帯電話の充電電池とコンセントを接続する。しかし、このような外接式の充電方式は特定地点でなければ行なえず、このため、往々にして携帯電話の充電時機を注意しなければならず、並びに前もって操作しなければ、通話中に停電する状況が発生する。ゆえに、このような形式の充電は将来の高電力消耗の状態では明らかに敏捷でない。
【０００４】
さらに、もう一種類の充電方式は電池セットを電力ソースとし、携帯電話と電池セットに接続できるクレードルが設けられ、電池セットの電源により携帯電話の充電電力を提供する。このような形式の充電はあきらかに場所の制限を受けないが、随時十分な電力と数量の電池を携行しなければならない。ゆえに明らかに手間がかかる。さらに電池内の毒物が人体に危害を与えるため、推奨には適合しない。
【考案の開示】
【考案が解決しようとする課題】
【０００５】
本考案の目的は、外接電力不要で、場所の制限がなく随時充電が行なえ、且つ充電速度が速く、環境保護に役立ち、連続使用できて経済的である携帯電話の充電装置を提供することにある。
【課題を解決するための手段】
【０００６】
請求項１の考案は、携帯電話の空間内に組み付けられ、磁場変化を加速した電磁誘導により容量の大きい誘導電流を発生して電力ソースを提供する携帯電話の充電装置であり、該充電装置はスライド体、コイルセット、磁石セット、緩衝体を具え、
該スライド体は固定板、金属芯座及び回転手段を具え、固定板が金属芯座の上方に位置し、該金属芯座は該固定板の一側に組付けられて複数の芯軸で区画された複数の区間を具え、該回転手段は該固定板の少なくとも四つの角部に設けられ、
該コイルセットは該金属芯座の芯軸に巻き付けられ、
該磁石セットは、該スライド体とギャップを保持しつつ対向するように設けられ、
該緩衝体は、スライド体の移動方向の対向する両側に設けられてスライド体の移動後の回復動力を提供し、
該スライド体のスライドにより該コイルセットの各コイルが所定のギャップ下で、磁石セットの各磁石と急速な磁場変化を形成することにより、誘導電流を発生することを特徴とする、携帯電話の充電装置としている。
請求項２の考案は、請求項１記載の携帯電話の充電装置において、金属芯座の材料が鋼材とされたことを特徴とする、携帯電話の充電装置としている。
請求項３の考案は、請求項２記載の携帯電話の充電装置において、金属芯座と固定板の組み付けは、該金属芯座の各芯軸の上端に設けられた位置決め柱が固定板の対応位置に設けられた位置決め溝と組み合わされることによることを特徴とする、携帯電話の充電装置としている。
請求項４の考案は、請求項３記載の携帯電話の充電装置において、遮蔽鋼板が固定板とコイルセットの間に設けられて金属芯座を被覆するように一体とされ、該遮蔽鋼板に金属芯座に対応する区間が設けられ、且つ該遮蔽鋼板に金属芯座の位置決め柱に対応する貫通溝が設けられたことを特徴とする、携帯電話の充電装置としている。
請求項５の考案は、請求項４記載の携帯電話の充電装置において、磁石セットがＳＮ極の順序で配列されて接着剤でベースの内底面に接合されたことを特徴とする、携帯電話の充電装置としている。
請求項６の考案は、請求項５記載の携帯電話の充電装置において、ベースの内底面にスライドレールが設けられてスライド体を案内してスライドを順調となすことを特徴とする、携帯電話の充電装置としている。
請求項７の考案は、請求項１記載の携帯電話の充電装置において、スライド体、コイルセット及び磁石セット、及び緩衝体がカバーを具えた単一開口のベース内に組み付けられて独立部品とされて携帯電話の底部外側に組み付けられ、並びに直接携帯電話の充電回路と接続されたことを特徴とする、携帯電話の充電装置としている。
請求項８の考案は、請求項７記載の携帯電話の充電装置において、コイルセットに接続された整流装置が設けられ、プラグケーブルが該整流装置に接続され、該プラグケーブルが携帯電話の充電ソケット或いは充電器のソケットに挿入されて充電が行なわれることを特徴とする、携帯電話の充電装置としている。
【考案の効果】
【０００７】
本考案は、外接電力不要で、場所の制限がなく随時充電が行なえ、且つ充電速度が速く、環境保護に役立ち、連続使用できて経済的である携帯電話の充電装置を提供している。
【考案を実施するための最良の形態】
【０００８】
本考案の携帯電話の充電装置は、磁場変化の電磁誘導を加速することにより比較的大きな容量の誘導電流を発生して電力ソースとなし、該携帯電話の充電装置は、スライド体、コイルセット及び磁石セットを具え、そのうちコイルセットは該スライド体に組み付けられ、該スライド体は磁石セットに対応するよう設置され且つギャップを保持し、該スライド体のスライドにより該コイルセットの各コイルが所定のギャップにあって、磁石セットの各磁石と快速な磁場変化を形成し、これにより大きな誘導電流を発生する。
【０００９】
該スライド体は固定板、金属芯座及び回転手段を具え、該金属芯座がコイルの巻き付けに供され、且つ該固定板と組み合わされて一体とされ、該回転手段は固定板の少なくとも四つの角部に設けられ、これによりスライド体を順調に移動させられる。
【００１０】
本考案の携帯電話の充電装置は更に緩衝体を具え、それはスライド体の移動方向の対向する両側に設けられ、スライド体の移動後の回復動力を提供する。
【実施例１】
【００１１】
図１は本考案の充電装置１を組み付けた携帯電話９２の斜視図であり、図示されるように、充電装置１は携帯電話９２の一部分とされ、携帯電話９２のケースの底ケース９２１の厚さが増され、携帯電話の必要部品及び本考案の充電装置の部品の組み付けに供されている。
【００１２】
図２は本考案の充電装置１の部品を示し、それは、スライド体３、コイルセット４、磁石セット５、及び緩衝体６を具え、いずれも前述の底ケース９２１内に組み付けられ、且つ底ケース９２１の内側底面にスライドレール２２が設けられてスライド体３を案内してそのスライドを順調となす。
【００１３】
該スライド体３は、固定板３０、金属芯座３１及び回転手段３２を具えている。該固定板３０には複数の位置決め溝３０１が設けられて後述の金属芯座３１の組み付けに供される。また、その四つの角部に回転手段３２が枢設されてスライドに供される。該金属芯座３１は複数の芯軸３１０により複数の区間に区画され、且つ各一つの芯軸３１０より上向きに位置決め柱３１１が延伸されている。また、該金属芯座３１に対向する一側に遮蔽鋼板３３が該金属芯座３１を被覆するように組み合わされ、該遮蔽鋼板３３に金属芯座３１に対応する区間３３０が設けられ、且つ位置決め柱３１１に対応する位置に貫通溝３３１が設けられて、相互に挿嵌後に該位置決め柱３１１が折り曲げられて一体に組み立てられる。
【００１４】
該コイルセット４は該金属芯座３１の各芯軸３１０に巻き付けられる。該磁石セット５は、ＳＮ極の順序で配列されて接着剤で該ベース２の内底面に接合され、該磁石セット５はスライド体３に対向するよう設置され且つギャップｔを保持し（図４、５参照）、該ギャップは実際の磁場変化の必要に応じて設定される。該緩衝体６は圧縮バネとされ得て、スライド体の移動方向の対応する両側に設けられ、スライド体３の移動後の回復動力を提供する。本実施例では該緩衝体６の両端はそれぞれ遮蔽鋼板３３と底ケース９２１の側面に当接している。
【００１５】
続いて図３に示されるように、本考案の携帯電話の充電装置１を組み立てる時は、図示されるように、該磁石セット５が底ケース９２１の底面に組み付けられる。コイルセット４が各芯軸３１０に巻き付けられた後、該金属芯座３１の位置決め柱３１１が遮蔽鋼板３３の貫通溝３３１に挿通され、さらに位置決め柱３１１が折り曲げられて一体とされる。組立完成後にコイルセット４に整流装置７が外接され並びに携帯電話９２内の充電電池９３と接続され、電源円が携帯電話９２内の基板に接続されて必要な電力を提供する。
【００１６】
図４、５に示されるように、本考案の携帯電話の充電装置１の電力の発生は、該スライド体３に伴うコイルセット４と磁石セット５との相対遠近移動により、図の矢印に示されるように、コイルセット４周囲の磁場に急速な変化を発生させることにより誘導電流を発生させて電力ソースを提供する。その間、両側の緩衝体６の回復力の作用により該スライド体３の往復動作が順調に行なわれ、且つ不断に動作して急速に電力提供できる。ゆえに、本考案の充電装置は外接電力不要で、場所の制限なく随時充電が行なえ、且つ充電速度が速く、環境保護に役立ち、且つ連続使用でき経済的である。
【実施例２】
【００１７】
図６、７は本考案の充電装置の第２実施例を示す。この実施例の充電装置１’の構造は上述の第１実施例と同様であり、スライド体３’、コイルセット４’、磁石セット５’、緩衝体６’、スライドレール２２’等の構造を具え、及びその関係位置はいずれも同じであるが、異なる所は、スライド体３’、コイルセット４’、磁石セット５’及び緩衝体６’がベース２’内に組み付けられ並びにカバー２１’で閉じ合わされた扁平な長方形体とされ、携帯電話の底ケース内に組み付けられないことである。言い換えると、本実施例の充電装置１’は独立部品として組み立てられ、携帯電話の一部分とされない。整流装置７’にプラグケーブル８’が接続されて、挿入方式で携帯電話９２’の充電ソケット９２２’に接続されて充電が行なわれる（図８）か、或いは充電器（図示せず）に接続されて充電が行なわれる。
【００１８】
総合すると、本考案の携帯電話の充電装置は確実に本考案の目的を達成し、実用新案登録の要件に符号する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１９】
【図１】本考案の充電装置を組み付けた携帯電話の斜視図である。
【図２】本考案の携帯電話の充電装置の第１実施例の分解斜視図である。
【図３】図２の局部組合せ斜視図である。
【図４】本考案のスライド体、コイルセットが磁石セットに対してスライドする表示図である。
【図５】本考案のスライド体、コイルセットが磁石セットに対してスライドする表示図である。
【図６】本考案の携帯電話の充電装置の第２実施例の分解斜視図である。
【図７】図６の局部組合せ斜視図である。
【図８】本考案の携帯電話の第２実施例をプラグケーブルで携帯電話に接続した表示図である。
【符号の説明】
【００２０】
１、１’  充電装置            ２’  ベース
３、３’  スライド体          ４、４’  コイルセット
５、５’  磁石セット          ６、６’  緩衝体
７、７’  整流装置            ８’  プラグケーブル
２１’  カバー                ２２、２２’  スライドレール
３０  固定板                  ３１  金属芯座
３２  回転手段                ３３  遮蔽鋼板
３１０  芯軸                  ３１１  位置決め柱
３３０  区間                  ３３１  貫通溝
４０、４１  プラス、マイナス極  ９２、９２’  携帯電話
９２１  底ケース              ９２２’  クレードル
９３  充電電池
【図１】
0003101049.tif 000003
【図２】
0003101049.tif 000004
【図３】
0003101049.tif 000005
【図４】
0003101049.tif 000006
【図５】
0003101049.tif 000007
【図６】
0003101049.tif 000008
【図７】
0003101049.tif 000009
【図８】
0003101049.tif 000010